【手続補正書】
【提出日】平成29年9月28日(2017.9.28)
【手続補正１】
【補正対象書類名】特許請求の範囲
【補正対象項目名】請求項４
【補正方法】変更
【補正の内容】
【請求項４】
請求項１ないし３のいずれか一項に記載のコンピュータで読み取り可能なプログラムであって、
前記音量操作受付手段は、
前記マスタフェーダの最大値側端部が目盛りの上限値に到達した状態で、前記マスタフェーダの最小値側端部を目盛りの上限値側に移動させる操作を受け付けた場合、前記複数のチャンネルフェーダのうち、目盛りの上限値に到達していないチャンネルフェーダを、前記マスタフェーダの最小値側端部の移動に合わせて、目盛りの上限値側に移動させる
ことを特徴とするコンピュータで読み取り可能なプログラム。
【手続補正２】
【補正対象書類名】明細書
【補正対象項目名】０００９
【補正方法】変更
【補正の内容】
【０００９】
また、マスタフェーダの最大値側端部が目盛りの上限値に到達した状態で、マスタフェーダの最小値側端部を目盛りの上限値側に移動させる操作を受け付けた場合、コントロール画面内の複数のチャンネルフェーダのうち、目盛りの上限値に到達していないチャンネルフェーダを、マスタフェーダの最小値側端部の移動に合わせて、目盛りの上限値側に移動させてもよい。あるいは、マスタフェーダの最大値側端部が目盛りの上限値に到達した状態で、マスタフェーダに対して所定の操作がなされた場合、コントロール画面内の複数のチャンネルフェーダのうち目盛りの上限値に到達していないすべてのチャンネルフェーダを目盛りの上限値に移動させてもよい。
【手続補正３】
【補正対象書類名】明細書
【補正対象項目名】００２５
【補正方法】変更
【補正の内容】
【００２５】
図６は、コントロール画面２５の一例を模式的に表した図である。図示するように、コントロール画面２５は、対応付けられたワイヤレスネットワーク対応スピーカ１の音量レベル操作を個別に受け付ける複数のチャンネルフェーダ２６−１〜２６−４（以下、単にチャンネルフェーダ２６とも呼ぶ）と、すべてのワイヤレスネットワーク対応スピーカ１の音量レベル操作を一括して受け付けるマスタフェーダ２７と、を有する。ここで、ＣＨ１のチャンネルフェーダ２６−１は、ワイヤレスネットワーク対応スピーカ１−１に対応付けられ、ＣＨ２のチャンネルフェーダ２６−２は、ワイヤレスネットワーク対応スピーカ１−２に対応付けられ、ＣＨ３のチャンネルフェーダ２６−３は、ワイヤレスネットワーク対応スピーカ１−３に対応付けられ、そして、ＣＨ４のチャンネルフェーダ２６−４は、ワイヤレスネットワーク対応スピーカ１−４に対応付けられているものとする。なお、対応するチャンネルフェーダ２６がコントロール画面２５に表示されるワイヤレスネットワーク対応スピーカ１を、オーディオシステムを構成するワイヤレスネットワーク対応スピーカ１の中からユーザが１つずつ選択あるいは複数まとめて一括選択できるようにしてもよい。または、オーディオシステムを構成する複数のワイヤレスネットワーク対応スピーカ１を１つ以上のグループにグルーピングしたグループ設定を保存できるようにしておき、このグループ設定に規定されたグループの中から、ユーザにより選択されたグループを構成するワイヤレスネットワーク対応スピーカ１に対応するチャンネルフェーダ２６がコントロール画面２５に表示されるようにしてもよい。
【手続補正４】
【補正対象書類名】明細書
【補正対象項目名】００４２
【補正方法】変更
【補正の内容】
【００４２】
Ｓ６１１において、マスタフェーダ２７の操作がマスタフェーダ２７の最大値側端部２７２を選択されてなされたものでない場合は（Ｓ６１１でＮＯ）、各チャンネルフェーダ２６およびマスタフェーダ２７の表示を変更することなく、図３のＳ７に進む。一方、マスタフェーダ２７の操作がマスタフェーダ２７の最大値側端部２７２を選択されてなされたものである場合（Ｓ６１１でＹＥＳ）、音量レベル操作受付部２２は、目盛り２７０におけるマスタフェーダ２７の最大値側端部２７２の表示位置を、ユーザの操作内容（移動方向および移動量）に従って更新する（Ｓ６１２）。その結果、マスタフェーダ２７の幅Ｗが狭くなる。また、対応目盛り２６０の下限値に到達済みのチャンネルフェーダ２６−４以外のすべてのチャンネルフェーダ２６−１〜２６−３、つまり、対応目盛り２６０の下限値の位置に到達していないチャンネルフェーダ２６−１〜２６−３の表示位置を、マスタフェーダ２７の最大値側端部２７２の移動方向に、マスタフェーダ２７の最大値側端部２７２の移動量だけ移動する（Ｓ６１３）。なお、マスタフェーダ２７の最大値側端部２７２の移動量分の移動が完了するまでの間に、いずれかチャンネルフェーダ２６−１〜２６−３が対応目盛り２６０の下限値の位置に到達した場合、対応目盛り２６０の下限値の位置に未到達の他のチャンネルフェーダのみ移動を継続する。
【手続補正５】
【補正対象書類名】明細書
【補正対象項目名】００４６
【補正方法】変更
【補正の内容】
【００４６】
また、Ｓ６２０において、図１０に示すように、指示する目盛り値が目盛り２６０の上限値に到達済みのチャンネルフェーダ２６（図１０ではチャンネルフェーダ２６−２）がある場合（Ｓ６２０でＹＥＳ）、音量レベル操作受付部２２は、マスタフェーダ２７の操作がマスタフェーダ２７の最小値側端部２７１を選択されてなされたものであるか否かを判断する（Ｓ６２１）。なお、いずれかのチャンネルフェーダ２６−１〜２６−４が目盛り２６０の上限値に到達している場合、目盛り２７０の上限値に向かうマスタフェーダ２７の移動が制限されることをユーザが直感的に把握できるように、例えば、マスタフェーダ２７、マスタフェーダ２７の最小値側端部２７１等の表示形態（例えば色）を変え、ユーザにマスタフェーダ２７の最小値側端部２７１の操作を促すようにしてもよい。
【手続補正６】
【補正対象書類名】明細書
【補正対象項目名】００４７
【補正方法】変更
【補正の内容】
【００４７】
Ｓ６２１において、マスタフェーダ２７の操作がマスタフェーダ２７の最小値側端部２７１を選択されてなされたものでない場合は（Ｓ６２１でＮＯ）、各チャンネルフェーダ２６およびマスタフェーダ２７の表示を変更することなく、図３のＳ７に進む。一方、マスタフェーダ２７の操作がマスタフェーダ２７の最小値側端部２７１を選択されてなされたものである場合（Ｓ６２１でＹＥＳ）、音量レベル操作受付部２２は、目盛り２７０におけるマスタフェーダ２７の最小値側端部２７１の表示位置を、ユーザの操作内容（移動方向および移動量）に従って更新する（Ｓ６２２）。その結果、マスタフェーダ２７の幅Ｗが狭くなる。また、対応目盛り２６０の上限値に到達済みのチャンネルフェーダ２６−２以外のすべてのチャンネルフェーダ２６−１、２６−３、２６−４、つまり、対応目盛り２６０の上限値の位置に到達していないチャンネルフェーダ２６−１、２６−３、２６−４の表示位置を、マスタフェーダ２７の最小値側端部２７１の移動方向に、マスタフェーダ２７の最小値側端部２７１の移動量だけ移動する（Ｓ６２３）。なお、マスタフェーダ２７の最大値側端部２７２の移動量分の移動が完了するまでの間に、いずれかチャンネルフェーダ２６−１、２６−３、２６−４が対応目盛り２６０の上限値の位置に到達した場合には、対応目盛り２６０の上限値に未到達の他のチャンネルフェーダのみ移動を継続する。
【手続補正７】
【補正対象書類名】明細書
【補正対象項目名】００４９
【補正方法】変更
【補正の内容】
【００４９】
図１２は、図１１に示すコントロール画面２５において、チャンネルフェーダ２６−４が指示する目盛り値が対応目盛り２６０の上限値となるまでマスタフェーダ２７の最小値側端部２７１が目盛り２７０の上限値側に移動操作された状態を模式的に表している。チャンネルフェーダ２６−１〜２６−４のなかで最小の目盛り値を指示しているチャンネルフェーダ２６−４が対応目盛り２６０の上限値の位置に到達するまでマスタフェーダ２７の最小値側端部２７１が目盛り２７０の上限値側に移動操作されたことにより、すべてのチャンネルフェーダ２６−１〜２６−４が指示する目盛り値が対応目盛り２６０の上限値となっている。また、マスタフェーダ２７の最小値側端部２７１と最大値側端部２７２とが重なって目盛り２７０の上限値の位置に表示される。
【手続補正８】
【補正対象書類名】明細書
【補正対象項目名】００５６
【補正方法】変更
【補正の内容】
【００５６】
例えば、上記の実施の形態では、マスタフェーダ２７の最小値側端部２７１が目盛り２７０の下限値に到達した状態で、マスタフェーダ２７の最大値側端部２７２を目盛り２７０の下限値側に移動させる操作を受け付けた場合に、コントロール画面２５内の複数のチャンネルフェーダ２６のうち対応目盛り２６０の下限値の位置に到達していないチャンネルフェーダ２６を、マスタフェーダ２７の最大値側端部２７２の移動に合わせて、対応目盛り２６０の下限値側に移動させている。しかし、本発明はこれに限定されない。マスタフェーダ２７の最小値側端部２７１が目盛り２７０の下限値に到達した状態において、マスタフェーダ２７を操作して、マスタフェーダ２７の最小値側端部２７１を目盛り２７０の下限値から一旦離して、所定時間内に再び目盛り２７０の下限値に到達させたり、マスタフェーダ２７をダブルクリックしたりする等、マスタフェーダ２７に対して所定の操作がなされた場合、コントロール画面２５内の複数のチャンネルフェーダ２６のうち、目盛り２６０の下限値の位置に到達していないすべてのチャンネルフェーダ２６を目盛り２６０の下限値に移動させてもよい。このようにすることで、スマートホンのタッチパネル等、表示画面が小さい場合の操作性を向上させることができる。
【手続補正９】
【補正対象書類名】明細書
【補正対象項目名】００６１
【補正方法】変更
【補正の内容】
【００６１】
また、上記の実施の形態においては、コントロール画面２５内に４つのチャンネルフェーダ２６を配置した例に挙げているが、コントロール画面２５内に配置するチャンネルフェーダ２６の数は適宜定めればよい。また、上記の実施の形態では、コントロール画面２５内のすべてのチャンネルフェーダ２６をマスタフェーダ２７に連動させているが、ユーザが選択したコントロール画面４内の任意の２以上のチャンネルフェーダ２６のみをマスタフェーダ２７に連動させるようにしてもよい。
【手続補正１０】
【補正対象書類名】明細書
【補正対象項目名】００６２
【補正方法】変更
【補正の内容】
【００６２】
１、１−１〜１−４：ワイヤレスネットワーク対応スピーカ、  ２：音量レベル操作端末、  ３：メディアサーバ、  ４：アクセスポイント、  ５：ネットワーク、  ２０：ワイヤレスネットワークインターフェース部、  ２１：グラフィカルユーザインターフェース部、  ２２：音量レベル操作受付部、  ２３：制御信号出力部、  ２５：コントロール画面、  ２６、２６−１〜２６−４：チャンネルフェーダ、  ２７：マスタフェーダ、  ２６０：チャンネルフェーダ２６の目盛り２７０：マスタフェーダ２７の目盛り、  ２７１：マスタフェーダ２７の最小値側端部、  ２７２：マスタフェーダ２７の最大値側端部